(57)【要約】【課題】一種の双方コンタクト間の接続が実現される時、充分な電磁遮蔽効果が得られるようにする。【解決手段】遮蔽効果のカバーを有した電気コネクタはインシュレータと複数のコンタクト及び金属シート材のカバーから構成され、インシュレータは少くとも複数のコンタクトが収容される配置部を含む接続部を有し、コンタクトの一端部はインシュレータの下方面から延出し、他端部はインシュレータ接続部開口まで延設され、カバーの前方突出フランジはインシュレータの接続部にはめ込む。また、垂直部とその底面に彎曲延びカバーと接触される水平ロック部と、上端でインシュレータの接続部に突出するようにして設けられた弾性接触部を有する接地クリックバネも備えたコネクタにおいて、垂直部の両側に接続アームを設置し、電気コネクタが相手側コネクタと接続する時、接地クリックバネが接続部上方に突出し、コンタクトよりも早く相手側コネクタに対して臨ませる。【選択図】図１
0003104327.tif 000002
【実用新案登録請求の範囲】
【請求項１】
電気コネクタにおいて、該コネクタは、
相手側コネクタと接続する接続部を有するインシュレータと、
前記インシュレータに収容され、インシュレータの接続部の開口まで延設される接触端部を持っている複数のコンタクトと、
前記インシュレータの接続部の外側にはめ込まれる前方突出フランジが設けられる金属シート材のカバーと、
前記インシュレータの接続部の両側に設けられる接地クリックバネと
を備え、
前記接地クリックバネは、垂直部と、その垂直部の底面から彎曲して延びて前記カバーと接触する水平ロック部と、垂直部の上端でインシュレータの接続部に突出するようにして設けられた弾性接触部を有し、前記垂直部の両側にはインシュレータと合っている接続アームが設置され、前記電気コネクタが相手側コネクタと接続する時、前記接地クリックバネが接続部上方に突出して、コンタトクトよりも先に相手側コネクタに接し、前記電気コネクタのカバーがコンタクトよりも先に相手側電気コネクタのカバーとの接続貫通が行われることを特徴とする電気コネクタ。
【請求項２】
前記実装部はインシュレータの接続部の相対する両側に設けられ、該実装部には接地クリックバネの接続アームを収容及びロックする保持溝が設けられていることを特徴とする請求項１に記載の電気コネクタ。
【請求項３】
前記インシュレータ接続部の相対する両側の上表面には突出部分が凸設されて、該突出部分は溝部を含んであり、接地クリックバネの弾性接触部の自由端は、この溝部まで延伸される挿入部からなることを特徴とする請求項１あるいは２に記載の電気コネクタ。
【請求項４】
カバーの相対する両側には保持クリップが設けられ、該保持クリップの内側にはインシュレータとお互いにロックする複数の突出部が設けられていることを特徴とする請求項３に記載の電気コネクタ。
【考案の詳細な説明】
【技術分野】
【０００１】
本考案は電気コネクタに関し、特に遮蔽効果のカバーを有した高密度電気コネクタに関する。
【背景技術】
【０００２】
電子工業における電気コネクタは通常に各種機械のバネルやプリント回路基板に取り付けて使用している。データ科学技術の発展に従って、データの貯蔵量及び伝送速度に対する要求も高く、コンタクトの数量も増え、コンタクト間の間隔も次第に小さくなっている。そこで、コンタクト間の間隔が小さすぎると、データ伝送時の内部電磁妨害の場合に問題が深刻となる。構造が精密で、そのような微小な電磁妨害において、データの伝送にかかる面倒で出来なっている。このような問題点を解消するために、一般的に電気コネクタは金属シート材で形成され、電気コネクタのはめ込み部に包囲されるカバーを有している。同時に、電気コネクタは、またカバーと結合する一つあるいは複数の接地片を持ち、そのような電気コネクタの構造は、特許文献１と特許文献２と特許文献３及び特許文献４に記載されている。
【０００３】
ところが、前記電気コネクタと相手側コネクタが結合される状態で、常にこれらの接触子と相手接触子との電気的接続に従って、金属シート材のカバーと相手カバーが接続される。このように電気コネクタの接触子がデータの伝送初に電気的な接続をした後でも、相応カバー別の接続は速くできない。そこで、電気コネクタ上に蓄積された静電気の放電は不可能になり、更に電磁妨害のためにデータの伝送効果も低くなる。従って、本考案は前記の欠点を克服するために一種の新たな電気コネクタを設計する。
【０００４】
【特許文献１】米国特許第５６９７７９９号明細書
【特許文献２】米国特許第５９４１７２６号明細書
【特許文献３】米国特許第５１８１８５５号明細書
【特許文献４】米国特許第６４３５９０５号明細書
【考案の開示】
【考案が解決しようとする課題】
【０００５】
本考案の目的は、このような従来の問題点を解消する電気コネクタを提供することである。すなわち、従来の技術と違って、金属シート材のカバーと相手カバーとの接続によって、双方コンタクト間の接続が実現できる時に、充分な電磁遮蔽効果が得られるようにする。
【課題を解決するための手段】
【０００６】
本考案は、遮蔽効果のカバーを有した電気コネクタに関し、電気コネクタはインシュレータと複数のコンタクト及び金属シート材のカバーから構成され、前記インシュレータは、少くとも複数のコンタクトが収容される配置部を含む接続部を有し、該コンタクトの一端部は、インシュレータの下方面から延出し、他端部は前記インシュレータ接続部開口まで延設され、且つ、カバーの前方突出フランジがインシュレータの接続部にはめ込む。また、垂直部とその垂直部の底面から彎曲して延びて前記カバーと接触する水平ロック部と、垂直部の上端でインシュレータの接続部から突出するようにして設けられた弾性接触部を有する接地クリックバネも備えたコネクタにおいて、前記垂直部の両側に接続アームを設置し、前記電気コネクタが相手側コネクタと接続する時、電気コネクタの接地クリックバネが接続部上方に突出して、コンタクトよりも先に相手側コネクタに接する。
【考案の効果】
【０００７】
従来の技術に比べると、本発明は以下の長所がある。電気コネクタの接地クリックバネが接続部の上方に突出して、コンタクトよりも一層に早く相手側電気コネクタに対して臨ませ、両接続電気コネクタの接地の道路が形成してからデータの道路が形成して、前記電気コネクタの電磁妨害及び静電気の釈放を押えたコネクタを提供することにある。
【考案を実施するための最良の形態】
【０００８】
図１に示すように、本発明の電気コネクタ１００は、主体部２と主体部２の両側に装着される接地クリックバネ３と主体部２を包囲するカバー１を備える。その中主体部２はインシュレータ２１とコンタクト２２を有している。
【０００９】
前記カバー１は、金属材料にて形成され、中空的な前方突出フランジ１１と前方突出フランジ１１底部から延設形成した矩形フード片１２と,該前方突出フランジ１１両側の側壁（図示せず）からの下向き延出による後方延出フランジ１３と、矩形フード片１２の左、右両側から下向き延出して形成される保持クリップ１４と複数の接地片１５から構成される。且つ、前方突出フランジ１１両側の側壁（図示せず）から向外に延出して複数のブロック１１１を形成し、前記後方延出フランジ１３は複数クリップ受け孔１３１を有する。保持クリップ１４の内側には複数の突出部１４１が形成され、また、接地片１５の接地連結足１５１が回路基板（図示せず）と電気的な接続が達成させる。
【００１０】
前記インシュレータ２１は、縦長の板状基部２１１と該板状基部２１１の上表面から突出する接続部２１２を有する。その中、板状基部２１１の前、後両側面（図示せず）には、カバー１のクリップ受け孔１３１と固定する後止突起２１１１があり、板状基部２１１の上端両側には第一受容孔２１１２、第二受容孔２１１３、第三受容孔２１１４が設けられる。前記接続部２１２は、枠形開口部２１２１と開口縁２１２２に分けられる。開口縁２１２２の両内側壁には、板状基部２１１と貫通する。複数の配合槽（図示せず）が凹型で設けられ、上記配合槽には、複数の伝送信号用コンタクト２２が収容される前記接続部２１２上表面の両側には突出部分２１３があり、その突出部分２１３の頂部に溝部２１３０を設ける。前記接続部２１２下端両側は、開口縁２１２２と一定な程度で形成された実装部２１４を含み、該実装部２１４は、一つの受け溝２１４１と該受け溝２１４１の内部から向外へ延設された保持溝２１４２を備える。
【００１１】
前記コンタクト２２は、インシュレータ２１の配合槽に収容される接触端部２２１と接触端部２２１からインシュレータ２１の底部まで向外へ延出曲がる接続端部２２２で構成するのである。
【００１２】
前記接地クリックバネ３は、垂直部３１とこの垂直部３１1上端で向外へ弓形に曲げた弾性接触部３２と平板状になる挿入部３３を含む。前記垂直部３１1の両翼は、接続アーム３４を持ち、また、垂直部３１の下端から向外曲げて延設した水平ロック部３５を有している。
【００１３】
図１乃至図３において、取り付ける時、まず接地クリックバネ３の垂直部３１を上の方向からインシュレータ２１の保持溝２１４２内へ挿入して、接続アーム３４が保持溝２１４２とお互いにロックさせる。接地クリックバネ３の水平ロック部３５は、インシュレータ２１の受け溝２１４１で第一受容孔２１１２へ延伸して、同時にインシュレータ２１の上表面に接触固定する。接地クリックバネ３の弾性接触部３２及び挿入部３３は、インシュレータ２１の突出部分２１３の溝部２１３０に設置される。次に、カバー１を主体部２に組み合わせる。カバー１の前方突出フランジ１１をインシュレータ２１の接続部２１２にはめ込む。カバー１の保持クリップ１４と接地片１５は、インシュレータ２１の第二受容孔２１１３、第三受容孔２１１４内にそれぞれ挿入される。そして、前記保持クリップ１４上の突出部１４１は、第二受容孔２１１３の内側壁とロックし、前記接地片１５上の接地連結足１５１はインシュレータ２１の底部へ延設する。カバー１の後方延出フランジ１３上のクリップ受け孔１３１にインシュレータ２１板状基部２１１上の後止突起２１１１をはめ込む。同時に、カバー１の矩形フート片１２はインシュレータ２１の上表面とはめ込んで、接地クリックバネ３の水平ロック部３５がカバー１と接続貫通する。
【００１４】
図４及び図５に示すように、使用時に、電気コネクタ１００と相手側コネクタ（図示せず）とを接続する場合、接地クリックバネ３の弾性接触部３２がインシュレータ２１の接続部２１２の上表面へ突伸し、そこで相手側コネクタの相手カバー９を、先に電気コネクタ１００の接地クリックバネ３の弾性接触部３２にはめ込む。接地クリックバネ３挿入部３３は弾性接触部３２が受けた弾性力の効用でインシュレータ２１の突出部分２１３の溝部２１３０に挿入され、従って、電気コネクタ１００のコンタクト２２と相手側コネクタの相手コンタクト（図示せず）との接続貫通が完成される。
【００１５】
以上説明したように、本考案によれば電気コネクタ１００の接地クリックバネ３が全部のコネクタよりも先に相手側コネクタの相手カバー９と電気貫通されるのは明らかなことで、データを伝送する前に電気コネクタに蓄積した静電気を放電し、且つ、該接地クリックバネ３は、データの伝送初期に有効な電磁妨害の防止の作用をする。
【００１６】
総じて、本考案の多数の特徴及び長所などが、その構造及び機能が共に前述の記載により掲げられている。また前記の説明は、本考案に基づきなしうる細部の修正或は変更など、いずれも本考案の請求範囲に属するものとする。
【産業上の利用可能性】
【００１７】
本考案は電気コネクタに関し、特に遮蔽効果のカバーを有した高密度電気コネクタに関する。
【図面の簡単な説明】
【００１８】
【図１】本考案の電気コネクタの分解斜視図である。
【図２】本考案の電気コネクタの正面図で、且つ左側の部分断面図である。
【図３】本考案の電気コネクタ底面図である。
【図４】本考案の電気コネクタが相手側電気コネクタと接続される前を示す部分断面図である。
【図５】本考案の電気コネクタが相手側電気コネクタと接続される時を示す部分断面図である。
【符号の説明】
【００１９】
１…カバー
２…主体部
３…接地クリックバネ
９…相手カバー
１１…前方突出フランジ
１２…矩形フード片
１３…後方延出フランジ
１４…保持クリップ
１５…接地片
２１…インシュレータ
２２…コンタクト
３１…垂直部
３２…弾性接触部
３３…挿入部
３４…接続アーム
３５…水平ロック部
１１１…ブロック
１３１…クリップ受け孔
１４１…突出部
１５１…接地連結足
２１１…板状基部
２１２…接続部
２１３…突出部分
２１４…実装部
２２１…接触端部
２２２…接続端部
２１１１…後止突起
２１１２…第一受容孔
２１１３…第二受容孔
２１１４…第三受容孔
２１２１…枠形開口部
２１２２…開口縁
２１３０…溝部
２１４１…受け溝
２１４２…保持溝
【図１】
0003104327.tif 000003
【図２】
0003104327.tif 000004
【図３】
0003104327.tif 000005
【図４】
0003104327.tif 000006
【図５】
0003104327.tif 000007